(57)【要約】【課題】光軸のずれによる画像品質の劣化を生じにくくする。【解決手段】原稿面に光を照射してその反射光をＣＣＤ１４ｅに結像して画像の読み取りを行う画像読み取り装置において、ＣＣＤ１４ｅに入射する読み取り光の光軸を調整する機能を有し、前記ＣＣＤ１４ｅが固定される板状の固定部材２１と、前記固定部材２１挟んで前記ＣＣＤ１４ｅの端子１４ｆに結合されたフラットケーブル２２とを備え、前記ＣＣＤ１４ｅは前記固定部材２１に対して例えば接着手段によって固定される。【選択図】図８
2009253345.tif 000002
【特許請求の範囲】
【請求項１】
原稿面に光を照射してその反射光を光電変換素子に結像して画像の読み取りを行う画像読み取り装置において、
前記光電変換素子に入射する前記反射光の光軸を調整する光軸調整機能を有し、前記光電変換素子が固定される板状の固定部材と、
前記固定部材を挟んで前記光電変換素子の端子に結合されたフラットケーブルと、
を備えていることを特徴とする画像読み取り装置。
【請求項２】
請求項１記載の画像読み取り装置において、
前記光電変換素子は前記固定部材に対して接着手段によって固定されることを特徴とする画像読み取り装置。
【請求項３】
請求項１記載の画像読み取り装置において、
前記光電変換素子は前記固定部材に対して押さえ部材を介して固定されることを特徴とする画像読み取り装置。
【請求項４】
請求項１記載の画像読み取り装置において、
前記光電変換素子は前記固定部材に対して接合部材を介して固定されることを特徴とする画像読み取り装置。
【請求項５】
請求項１ないし４のいずれか１項に記載の画像読み取り装置において、
前記光電変換素子の端子に結合されるフラットケーブルと、
前記光電変換素子の端子と前記フラットケーブルとの結合部に設けられ、フラットケーブルを前記結合部で補強する補強部材と、
を備えていることを特徴とする画像読み取り装置。
【請求項６】
請求項５記載の画像読み取り装置において、
前記補強部材は、前記固定部材に対して締結手段によって固定されることを特徴とする画像読み取り装置。
【請求項７】
請求項１ないし６のいずれか１項に記載の画像読み取り装置において、
前記光電変換素子の駆動回路及び前記光電変換素子の出力信号の処理回路が、前記装置全体の制御機能を有する制御基板に搭載されていることを特徴とする画像読み取り装置。
【請求項８】
請求項１ないし７のいずれか１項に記載の画像読み取り装置を備えていることを特徴とする画像形成装置。
【請求項９】
原稿面に光を照射してその反射光を光電変換素子に結像して画像の読み取りを行う画像読み取り装置における前記光電変換素子の組み付け方法において、
前記光電変換素子に入射する前記反射光の光軸を調整する光軸調整機能を有し、前記光電変換素子が固定される固定部材と、
前記固定部材を挟んで前記光電変換素子の端子に結合されるフラットケーブルと、
を備え、
前記光電変換素子は、光軸調整を行った後、前記固定部材に対して固定されることを特徴とする光電変換素子の組み付け方法。
【請求項１０】
請求項９記載の光電変換素子の組み付け方法において、
前記フラットケーブルの前記光電変換素子の端子との結合部に補強部材を備えていることを特徴とする光電変換素子の組み付け方法。
【請求項１１】
請求項９記載の光電変換素子の組み付け方法において、
前記固定は接合部材を介して行われることを特徴とする光電変換素子の組み付け方法。
【発明の詳細な説明】
【技術分野】
【０００１】
本発明は、画像の読み取りに使用する光電変換素子部の取り付け構造に特徴のある画像読み取り装置、この画像読み取り装置を備えた複写機、プリンタ、ファクシミリ、これらの機能の少なくとも２つを備えたデジタル複合機などの画像形成装置、及び前記光電変換素子の組み付け方法に関する。
【背景技術】
【０００２】
従来から原稿を副走査方向にライン走査し、原稿上の画像情報を読み取り手段としての光電変換手段（ＣＣＤ）のセンサ面上に結像させ、当該光電変換手段から得られる出力信号を利用して、前記原稿上の画像情報を読み取るようにした画像読み取り装置が種々知られている。図１は、従来から現在至るまで使用されている代表的な画像読み取り装置の機械的構成の概略を示す図である。なお、この従来例として示した構成は、本願発明の実施形態においても同様なので関連する構成について少し触れておく。
【０００３】
同図において、この画像読み取り装置の読み取り方式は、原稿５をコンタクトガラス１上に載置して画像を読み取るフラットベッド方式と原稿６を原稿搬送装置４によって移動させながら読み取るシートスルー方式の２つの方式が設定されている。
【０００４】
前記フラットベッド方式では、照明光源となるランプ７及び第１ミラー８を搭載した第１キャリッジ９と、第２及び第３ミラー１０，１１を搭載した第２キャリッジ１２をスキャナモータによって１対２の相対速度で副走査方向（図示、キャリッジ移動方向−右方向）に移動させ、コンタクトガラス１上に載置された原稿５を読み取る。また、シートスルー方式では、第１及び第２キャリッジ９，１０は停止させた状態（図１の状態）で移動する原稿６の画像をシートスルー読み取り部２で読み取る。いずれの読み取り方式においても、ランプ７により照明された原稿５，６上の原稿画像情報を走査用の第１、第２、第３のミラー８，１０，１１を介して結像レンズ１３に導き、結像レンズ１３によって原稿画像をＣＣＤ回路基板１４上に搭載されたＣＣＤ１４ｃ（光電変換手段）のセンサ面上に結像させて、原稿上の画像情報を読み取り、ＣＣＤ１４ｃの出力信号をＡＤコンバータによりデジタルデータに変換し、原稿画像データをデジタル的に読み取っている。
【０００５】
図１９は図１に示した画像読み取り装置とプリンタＰＲの電気的構成の概略示すブロック図である。図１９において、画像読み取り装置ＳＣは、ＣＣＤ回路基板１４、スキャナ制御回路基板１５、モータドライブ回路基板１６、インバータ回路基板１７の各回路基板を備えている。ＣＣＤ回路基板１４はスキャナ制御回路基板１５に接続され、スキャナ制御回路基板１５には、モータドライブ回路基板１６、インバータ回路基板１７、原稿検知センサ及びＨＰセンサ１９が接続されている。モータドライブ回路基板１６はスキャナモータや搬送モーラなどのモータ１６ａを駆動し、インバータ回路基板１７はランプ７を点灯させる。ランプ７はこの例ではキセノンランプが使用されている。
【０００６】
原稿検知センサはシートスルー方式で原稿６を読み取る際に原稿の有無を検知するセンサで、ＨＰセンサは第１キャリッジ９のホームポジションを検出センサである。このホームポジションは、シートスルー方式で原稿６を読み取る際の第１キャリッジ９の位置設定の基準となる。また、プリンタＰＲには、プリンタＰＲを制御するとともに画像読み取り装置ＳＣのスキャナ制御回路基板１５から画像データを受け取り、画像読み取りに必要な情報や指示を画像読み取り装置ＳＣに送信するコントローラ部ＣＲが設けられている。
【０００７】
図２０はＣＣＤ回路基板１４とスキャン制御回路基板１５の詳細を示すブロック図である。ＣＣＤ回路基板１４には、ＣＣＤ駆動タイミング生成部１４ａ、ＣＣＤドライバ１４ｂ、ＣＣＤ１４ｃ、及びアナログ信号処理、Ａ／Ｄ変換部１４ｄが搭載されている。ＣＣＤ１４ｃはＣＣＤ駆動タイミング生成部１４ａで生成されたタイミングでＣＣＤドライバ１４ｂにより駆動され、アナログ信号処理、Ａ／Ｄ変換部１４ｄで、アナログ信号処理とＡ／Ｄ変換処理を実行し、ＣＣＤ１４ｃのアナログ出力がデジタルデータに変換されてスキャナ制御基板１５へ伝送される。
【０００８】
スキャナ制御回路基板１５には、画像読み取り装置ＳＣの各部及び全体の制御を司るＣＰＵ１５ａと、ＣＰＵ１５ａが使用するデータを記憶するメモリ１５ｂと、例えばＡＳＩＣからなる画像処理部１５ｃが搭載されている。なお、ＣＰＵ１５ａはＲＯＭに格納されたプログラムを、ＲＡＭをワークエリアとして使用しながら実行し、所定の制御を行う。なお、前記ＲＡＭとして前記メモリ１５ｂを使用することもできる。
【０００９】
デジタルデータに変換された原稿画像情報は、プリンタＰＲなどの出力装置に送られプリント出力として画像情報の出力が行われ、あるいは記憶装置に送られて入力画像情報の記憶が行われ、あるいはＰＣなどの情報処理装置に送られる、などのように種々の場合があり、各々の画像読み取り装置の情報として使用される。
【００１０】
また、原稿の読み取りに先立って図１に示すシートスルー読み取り部２とコンタクトガラス１との間にあるシェーディング補正用基準白板３の読み取りデータを走査して、シェーディング補正用データを生成してメモリ１５ｂに記憶しておき、そのシェーディング補正用データで原稿５または６の画像データ読み取りながら正規化することにより、前記画像読み取り装置における光量分布ムラ、ＣＣＤ１４ｃの感度ムラ、出力変動等を補正し、原稿５，６の画像情報を精度よく読み取るようになっている。
【００１１】
このような画像読み取り装置の動作を行うにあたって、原稿面から光電変換手段であるＣＣＤ１４ｃに至る光路の光軸が精度よく調整されている必要がある。図２１ないし図２３は従来例に係るＣＣＤの構成を示す図である。図２１は固定部材２１の斜視図である。固定部材２１はＣＣＤ回路基板１４を取り付ける取り付け片２１ａ’が調整側取り付け部２１ｂから垂直方向に延設されている。ＣＣＤ回路基板１４には図２２に示すように、ＣＣＤ本体１４ｃが搭載され、図２３に示すように固定部材２１の取り付け片２１ａ’の取り付け孔２１ｆにＣＣＤ回路基板１４側の取り付け孔１４ｇとを合わせて図２４に示すようにネジ２１ｈによって締結され、固定される。なお、符号２１ｉは固定部材２１を第２の調整部材２５に固定するときのネジ孔である。図２４はＣＣＤ回路基板１４が固定部材２１を介して第１及び第２の調整部材２４，２５に取り付けられたときの状態を示す図である。
【００１２】
図２４において、第１及び第２の調整部材２４，２５は結像レンズ１３が取り付けられたレンズ支持基板２６上に搭載されている。第１及び第２の調整部材２４，２５はそれぞれ断面Ｌ字状の板金からなり、第１の調整部材の２４の水平部がレンズ支持基板２６上に固定され、垂直部に第２の調整部材２５の垂直部が固定される。また、固定部材２１は第２の調整部材２５の水平部に固定される。第１及び第２の調整部材２４，２５の垂直部では、レンズ１３の光軸ＬがＣＣＤ本体１４ｃのセンサ面の中央に位置し、かつ垂直になるように垂直方向Ｙの調整が行われた後、第１及び第２の調整部材２４，２５の垂直部が固定される。また、結像レンズ１３で結像した像がセンサ面で像を結ぶように水平方向Ｘの調整が行われた後、固定部材２１と第２の調整部材２５の水平部が固定される。この調整の際には、専用の治具が使用され、特に図示はしていないがスライド調整機構を有し、調整が終了した時点で接着剤あるいはネジなどによってＹ方向及びＸ方向の相対的な位置がずれないように固定される。
【００１３】
このように調整は、図２４に示すようにレンズ１３とＣＣＤ１４ｃを搭載したＰＣＢ（ＣＣＤ回路基板１４）が一つの単位となった状態の光学モジュール２０として光軸Ｌを調整し、あるいはスキャナユニットＳＣに実装された状態でレンズ１３とＰＣＢ１４に搭載されたＣＣＤ１４ｃの光軸Ｌを調整する。この調整により、レジスト、スキュー、ピントなどが調整される。なお、前記ＣＣＤ回路基板１４は、スキャナ制御基板１５に対してフラットケーブル（ハーネス）２２を介して図２４に示すように互いに直交する状態で接続される。
【００１４】
なお、この種の光学読み取り素子の調整機構については、前述の例の他に特許文献１ないし３に記載された発明が公知である。このうち特許文献１には、結像光学系と撮像ユニットとを搭載するとともに、副走査方向に移動調整可能に設けられた基台と、撮像ユニットと信号処理基板とを電気的に接続する信号ケーブルとを備え、基台にはこれと一体構造で基板受け部を形成し、この基板受け部に信号処理基板を搭載することにより、基台と一体に信号処理基板が移動し得る構成とした発明が記載されている。
【００１５】
また、特許文献２には、裏面側に読取基板が固定されたＣＣＤイメージセンサと、原稿からの反射光を通過させるための開口部とＣＣＤイメージセンサを嵌合させるための支持部とを有するセンサフレームとを具備してなり、センサフレームの支持部にＣＣＤイメージセンサの読取面側が嵌合されて、ＣＣＤイメージセンサ反射光の光軸上に支持され、前記センサフレームの支持部は、ＣＣＤイメージセンサの幅方向、厚み方向、及び高さ方向の位置を夫々規制する少なくとも３方向の位置決め部と、各位置決め部にイメージセンサを夫々押圧して固定する付勢部材とを備えた発明が記載されている。
【００１６】
更に、特許文献３には、光線が透過する透過面の周囲に側面を有するレンズと、側面に対向する第１の取り付け面と第１の取り付け面とは異なる角度を有する第２の取り付け面とを有する中間保持部材と、第２の取り付け面に対向する取り付け面を有する筐体とを備え、筐体と筐体に対して位置調整されたレンズとが中間保持部材を介して接着固定され、光学エレメントの接着固定前に光学エレメントの軸調整を簡単に行えるようにして、軸調整後の光学エレメントの取り付けを高精度に行うことができるようにした発明が記載されている。
【特許文献１】特開２０００−２１７９９１号公報
【特許文献２】特開２００４−２８７０３９号公報
【特許文献３】特開２００２−００６１８８号公報
【発明の開示】
【発明が解決しようとする課題】
【００１７】
前記各図を参照して説明した従来例、及び前記各特許文献記載の発明では、スキャナ制御基板１５と接続されるフラットケーブル（ハーネス）２２が弾性を有することから、ＣＣＤ回路基板１４に負荷が掛かっていた。そのため、この負荷によって図２５に示すようにＣＣＤ回路基板１４の位置がずれることがあり、このずれＺが光軸をずらす結果となり、画像品質に影響をもたらす場合があった。
【００１８】
また、ＣＣＤ回路基板１４上のＣＣＤ１４ｃや駆動回路（ドライバ１４ｂ）などの発熱によりＣＣＤ回路基板１４に反りや変形が発生することがあり、この変形によって同じく光軸のずれを生じ、画像品質に影響をもたらす場合があった。
【００１９】
更に、ＣＣＤ（光電変換素子）に何らかの不具合が生じた場合、ＣＣＤ（光電変換素子）の交換を行うには、ＣＣＤ回路基板単位の交換となってしまい、修復のためのコストが高くならざるを得なかった。
【００２０】
そこで、本発明が解決しようとする課題は、光軸のずれによる画像品質の劣化を生じにくくすることにある。
【課題を解決するための手段】
【００２１】
前記課題を解決するため、第１の手段は、原稿面に光を照射してその反射光を光電変換素子に結像して画像の読み取りを行う画像読み取り装置において、前記光電変換素子に入射する前記反射光の光軸を調整する光軸調整機能を有し、前記光電変換素子が固定される板状の固定部材と、前記固定部材を挟んで前記光電変換素子の端子に結合されたフラットケーブルとを備えていることを特徴とする。
【００２２】
第２の手段は、第１の手段において、前記光電変換素子は前記固定部材に対して接着手段によって固定されることを特徴とする。
【００２３】
第３の手段は、第１または第２の手段において、前記光電変換素子は前記固定部材に対して押さえ部材を介して固定されることを特徴とする。
【００２４】
第４の手段は、第１の手段において、前記光電変換素子は前記固定部材に対して接合部材を介して固定されることを特徴とする。
【００２５】
第５の手段は、第１ないし第４のいずれかの手段において、前記光電変換素子の端子に結合されるフラットケーブルと、前記光電変換素子の端子と前記フラットケーブルとの結合部に設けられ、フラットケーブルを前記結合部で補強する補強部材とを備えていることを特徴とする。
【００２６】
第６の手段は、第５の手段において、前記補強部材が、前記固定部材に対して締結手段によって固定されることを特徴とする。
【００２７】
第７の手段は、第１ないし第６のいずれかの手段において、前記光電変換素子の駆動回路及び前記光電変換素子の出力信号の処理回路が、前記装置全体の制御機能を有する制御基板に搭載されていることを特徴とする。
【００２８】
第８の手段は、第１ないし第７のいずれかの手段に係る画像読み取り装置を画像形成装置が備えていることを特徴とする。
【００２９】
第９の手段は、原稿面に光を照射してその反射光を光電変換素子に結像して画像の読み取りを行う画像読み取り装置における前記光電変換素子の組み付け方法において、前記光電変換素子に入射する前記反射光の光軸を調整する光軸調整機能を有し、前記光電変換素子が固定される固定部材と、前記固定部材を挟んで前記光電変換素子の端子に結合されるフラットケーブルとを備え、前記光電変換素子は、光軸調整を行った後、前記固定部材に対して固定されることを特徴とする。
【００３０】
第１０の手段は、第９の手段において、前記フラットケーブルの前記光電変換素子の端子との結合部に補強部材を備えていることを特徴とする。
【００３１】
第１１の手段は、第９の手段において、前記固定は接合部材を介して行われることを特徴とする。
【００３２】
なお、後述の実施形態において、光電変換素子はＣＣＤ本体１４ｅに、光軸調整機能は第１及び第２の調整部材と固定部材２１に設けられた調整孔に、固定部材は符号２１に、端子は符号１４ｆに、フラットケーブルは符号２２に、接着手段は両面テープ２１ｃに、押さえ部材は符号２１ｅに、接合部材は符号２７に、補強部材は符号２３に、締結手段はネジ２１ｈに、駆動回路はＣＣＤ駆動タイミング生成部１４ａ及びＣＣＤドライバ１４ｂに、処理回路はアナログ信号処理部、Ａ／Ｄ変換部１４ｄに、制御基板はスキャナ制御回路基板１５に、それぞれ対応する。
【発明の効果】
【００３３】
本発明によれば、光軸調整機能を有し、前記光電変換素子が固定される板状の固定部材と、前記固定部材を挟んで前記光電変換素子の端子に結合されたフラットケーブルとを備えているので、光軸のずれによる画像品質の劣化を生じにくくすることができる。
【発明を実施するための最良の形態】
【００３４】
以下、本発明の実施形態について、図面を参照して説明する。
【００３５】
本発明の機械的構成は、前述の従来例で説明した図１に示したものと同一なので、同等な各部には同一の参照符号を付し、重複する説明は省略する。
【００３６】
図２は、本実施形態に係る画像読み取り装置の電気的構成を示すブロック図である。基本的に光学モジュール２０側に実装される電気部品はＣＣＤ１４ｃとフラットケーブル２２のみである。すなわち、従来、図２０に示したように、ＣＣＤ回路基板１４とスキャナ制御回路基板１５に各制御回路要素を分けて搭載し、その間をフラットケーブル２２で接続していたが、本実施形態では、スキャナ制御回路基板１５上に、前記ＣＣＤ回路基板１４に搭載されていたＣＣＤ１４ｃ以外の各回路要素を搭載した。そのため、本実施形態では、スキャナ制御回路基板１５上に、従来から搭載されていたＣＰＵ１５ａ、メモリ１５ｂ、及び画像処理部（ＡＳＩＣ）１５ｃに加えて、ＣＣＤ駆動タイミング生成部１４ａ、ＣＣＤドライバ１４ｂ、及びアナログ信号処理、Ａ／Ｄ変換部１４ｄを搭載し、スキャナ制御基板１５とＣＣＤ１４ｃ間をフラットケーブル２２で接続した。その他の各部は前述の従来例と同等に構成され、同等に機能する。
【００３７】
図４は本実施形態に係るＣＣＤ本体１４ｅを示す斜視図で、このＣＣＤ本体１４ｅは図３に示す光軸調整機構を備えた板金からなる固定部材２１に固定される。固定部材２１は断面Ｌ字（鉤）状のアングル材からなり、アングルの垂直関係にある２つの板部にそれぞれＣＣＤ固定部２１ａと調整側取り付け部２１ｂとが設定されている。ＣＣＤ固定部２１ａにはＣＣＤ本体１４ｅの端子１４ｆが挿通される長孔２１ｄが一対形成され、その間の桟の部分に、図５に示すように固定手段として例えば両面テープ２１ｃが貼付される。ＣＣＤ本体１４ｅは、図６に示すように両側の端子１４ｆを前記長孔２１ｄに挿通した上で、ＣＣＤ本体１４ｅの底面が前記両面テープ２１ｃによってＣＣＤ固定部２１ａに固定される。なお、両面テープ２１ｃに代えて接着剤も使用できることは言うまでもない。
【００３８】
なお、図７に示すように両面テープ２１ｃに代えて押さえ部材２１ｅを用いて固定することもできる。押さえ部材２１ｅは、板金をＣＣＤ本体１４ｅの端部の形状に成形し、更に固定片を設けたもので、ＣＣＤ本体１４ｅの両端部を押さえ、前記固定片を介してＣＣＤ固定部２１ａに固定するようにしたものである。そのため、図３に示すように長孔２１ｄの長手方向の外側に押さえ部材２１ｅを取り付けるための取り付け孔２１ｆが設けられている。なお、図８は両面テープ２１ｃで固定したときの光学モジュール２０の側面図、図９は押さえ部材２１ｅで固定したときの側面図である。前述のように調整し、固定部材２１の背面（反レンズ側の面）のＣＣＤ本体１４ｅの端子部１４ｆに延びるフラットケーブル２２がスキャナ制御基板１５と接続されている。
【００３９】
また、より強固に固定するためには図１４に示すような補強部材２３を用いる。この補強部材２３は予めフラットケーブル２２のＣＣＤ本体１４ｅに対向する側に例えば接着剤あるいは両面テープによって取り付けられ、固定部材２１のＣＣＤ固定部２１ａの裏面側に前記補強部材２３側が位置するようにして前記ＣＣＤ固定部２１ａの裏面に例えばネジ２１ｈによって固定される。そのため、図１０に示すように補強部材２３とフラットケーブル２２を取り付けるための取り付け孔２１ｇが穿孔されている。すなわち、ＣＣＤ本体１４ｅが固定された固定部材２１と補強部材２３が固定されたフラットケーブル２２はネジによって接合され、その後、ＣＣＤ本体１４ｅの端子１４ｆとＦＰＣ（フラットケーブル）２２の電極をはんだ付けすることによって、図１５に示すように強固に固定部材２１とＣＣＤ１４ｅが一体化された状態となる。
【００４０】
また、前記取り付け孔２１ｆは図１３及び図１４に示すように、両面テープ２１ｃによってＣＣＤ本体１４ｅを固定部材２１に固定したときにフラットケーブル２２を取り付けるための孔である。
【００４１】
図１６ないし図１８はＣＣＤ１４ｃを固定部材２１の裏面側に接合部材２７で直接固定した例を示す図である。図１６に示すようにＣＣＤ本体１４ｅは基板１４ｈに取り付けられ、図１７に示すように基板１４ｈの裏面（反ＣＣＤ本体取り付け側の面）にフラットケーブル２２を取り付け、ＣＣＤ本体１４の端子１４ｆとフラットケーブル２２の電極をはんだ付けにより接続する。このようにして接続されたＣＣＤ１４ｅを図１８に示すように支持部材２４を介して直接支持金具２１に接着し、光学モジュール２０を構成することもできる。
【００４２】
この場合、光軸調整を行う調整機能がＣＣＤ本体１４ｅを直接保持し、調整を行うことができる構造であれば、補強材の有無は問わない。なお、光学モジュール２０へのＣＣＤ本体１４ｅの固定はＵＶ硬化剤等の高速に硬化可能な接着剤を使用する。
【００４３】
このような構成とすることにより、ＣＣＤ回路基板の熱変形によるＣＣＤ面での光軸のずれやハーネスの負荷によるＣＣＤ回路基板の変形に伴う光軸のずれを低減することが可能となり画像品質の向上をもたらすことが可能となる。
【００４４】
以上のように、本実施形態によれば、
１）光電変換素子（ＣＣＤ）をＰＣＢに実装することなく直接、光軸調整用の板金部材に固定するので、熱の影響やＰＣＢに加わるハーネスを介しての負荷の影響を低減することが可能となり、その結果、画像品質の向上を図ることができる。  
２）光電変換素子（ＣＣＤ）に何らかの不具合が生じた場合、光電変換素子（ＣＣＤ）の交換が容易に行える。その結果、修復のための時間とコストを低減することができる。  
３）光電変換素子（ＣＣＤ）を接着剤で板金部材に固定するので、組み付け性の向上を図ることができる。  
４）光電変換素子（ＣＣＤ）の固定を板金部材で行うことで、放熱性が向上し、また、より確実に固定することができる。
【００４５】
５）光電変換素子（ＣＣＤ）の端子に結合されるフラットケーブル部分に補強部材を設けたので、強度が向上し作業性が改善される。  
６）補強部材を板金部材に固定するので、より強固にＣＣＤを固定することが可能となり、画像品質の向上を図ることができる。  
７）光電変換素子（ＣＣＤ）を光軸調整後、直接接着部材で固定するので、シンプルな構造となり、調整から接着後の固定に至る工程での位置ずれを低減することが可能となり、画像品質の向上を図ることができる。  
８）光電変換素子（ＣＣＤ）の端子に結合されるフラットケーブル部分に補強部材を設けることで、強度が向上し作業性の改善につながる。  
９）光電変換素子の駆動回路及び光電変換素子の出力信号の処理回路は画像読み取り装置の制御機能を有する制御基板に集約されるので、ＰＣＢの数量を低減することができる。  
等の効果を奏する。
【図面の簡単な説明】
【００４６】
【図１】本実施形態及び従来例に係る画像読み取り装置の機械的な概略構成を示す図である。
【図２】本実施形態に係る画像読み取り装置の電気的な概略構成を示すブロック図である。
【図３】本実施形態に係る板金部材の斜視図である。
【図４】本実施形態に係るＣＣＤ本体の斜視図である。
【図５】本実施形態に係る板金部材に接着剤を塗布した状態を示す図である。
【図６】図５の板金部材にＣＣＤ本体を固定した状態を示す図である。
【図７】図３の板金部材はＣＣＤ本体を固定用の板金部材によって固定した状態を示す図である。
【図８】接着剤でＣＣＤ本体を固定したときの光学モジュールの側面図である。
【図９】固定用板金部材でＣＣＤ本体を固定したとき光学モジュールの側面図である。
【図１０】図７に対して補強部材を設けるときの板金部材の構造を示す斜視図である。
【図１１】補強部材で補強され、接着剤でＣＣＤ本体を固定したときの光学モジュールの側面図である。
【図１２】補強部材で補強され、固定用板金部材でＣＣＤ本体を固定したとき光学モジュールの側面図である。
【図１３】接着剤でＣＣＤ本体を板金部材に固定したときのフラットケーブルの接続状態を示す図である。
【図１４】補強部材をいれてＣＣＤ本体を板金部材に固定するときのフラットケーブルの接続状態を示す分解斜視図である。
【図１５】補強部材をいれてＣＣＤ本体を板金部材に固定したときのフラットケーブルの接続状態を示す図である。
【図１６】取り付け基板にＣＣＤ本体を直接搭載した状態を示す図である。
【図１７】図１６の取り付け基板の背面側にフラットケーブルを接続するときの分解斜視図である。
【図１８】図１７のＣＣＤを使用した光学モジュールの側面図である。
【図１９】従来例に係る画像読み取り装置の電気的な概略構成を示すブロック図である。
【図２０】従来例における回路基板の関係を示す図である。
【図２１】従来例における調整基板の斜視図である。
【図２２】従来例における取り付け基板とＣＣＤ本体との関係を示す図である。
【図２３】従来例におけるＣＣＤの取り付け状態を示す図である。
【図２４】従来例における光学モジュールの側面図である。
【図２５】従来例における光学モジュールの光軸のずれを説明するための図である。
【符号の説明】
【００４７】
１  コンタクトガラス
２  シートスルー読み取り部
５，６  原稿
７  ランプ
９，１０，１１  ミラー
１３  結像レンズ
１４  ＣＣＤ回路基板
１４ｃ  ＣＣＤ
１４ｅ  ＣＣＤ本体
１５  スキャナ制御回路基板
２０  光学モジュール
２１  ２２  フラットケーブル
２１ａ  板金部材
２１ｃ  接着剤
２１ｅ  固定用板金部材
２３  補強部材
【図１】
2009253345.tif 000003
【図２】
2009253345.tif 000004
【図３】
2009253345.tif 000005
【図４】
2009253345.tif 000006
【図５】
2009253345.tif 000007
【図６】
2009253345.tif 000008
【図７】
2009253345.tif 000009
【図８】
2009253345.tif 000010
【図９】
2009253345.tif 000011
【図１０】
2009253345.tif 000012
【図１１】
2009253345.tif 000013
【図１２】
2009253345.tif 000014
【図１３】
2009253345.tif 000015
【図１４】
2009253345.tif 000016
【図１５】
2009253345.tif 000017
【図１６】
2009253345.tif 000018
【図１７】
2009253345.tif 000019
【図１８】
2009253345.tif 000020
【図１９】
2009253345.tif 000021
【図２０】
2009253345.tif 000022
【図２１】
2009253345.tif 000023
【図２２】
2009253345.tif 000024
【図２３】
2009253345.tif 000025
【図２４】
2009253345.tif 000026
【図２５】
2009253345.tif 000027